(57)【特許請求の範囲】
【請求項１】
第１の通信端末と、
第２の通信端末と、
第３の通信端末と、
中継装置と
を含み、
前記第１の通信端末は、
前記第１の通信端末に挿入されている第１のＩＣカードから第１のＩＣカード情報を取得する手段と、
前記第１のＩＣカード情報を自分の配信データに付加する手段と、
前記第１のＩＣカード情報を付加した配信データを前記中継装置へ送信する手段と
を具備し、
前記第２の通信端末は、
前記中継装置に対して、配信時間帯を設定する手段と、
前記配信時間帯に、前記中継装置から他者の配信データを受信する手段と、
前記第２の通信端末に挿入されている第２のＩＣカードから第２のＩＣカード情報を取得する手段と、
前記第２のＩＣカード情報を自分の配信データに付加する手段と、
配信データを第３の通信端末に送信する際、当該配信データに付加されたＩＣカード情報と、前記第２のＩＣカード情報とを比較する手段と、
比較の結果、当該配信データに付加されたＩＣカード情報と、前記第２のＩＣカード情報とが合致していれば、当該配信データを前記第３の通信端末へ送信する手段と
を具備し、
前記中継装置は、
前記第１の通信端末から前記第２の通信端末への配信データを受信した際、前記配信時間帯でなければ、前記配信時間帯になるまで、前記第１の通信端末から前記第２の通信端末への配信データを蓄積する手段と、
前記配信時間帯である場合、前記蓄積された配信データを前記第２の通信端末へ送信する手段と
を具備し、
前記第１の通信端末は、
自分の配信データの送信先として、前記第２の通信端末を、第１グループ及び第２グループのいずれかに設定する手段と、
セキュリティモードを設定する手段と、
前記セキュリティモードが第１モードのとき、前記第１グループ及び前記第２グループの両方を送信先として、自分の配信データを前記中継装置へ送信する手段と、
前記セキュリティモードが第２モードのとき、前記第１グループを送信先として、自分の配信データを前記中継装置へ送信する手段と、
前記セキュリティモードが第３モードのとき、前記第２グループを送信先として、自分の配信データを前記中継装置へ送信する手段と
を具備する
情報配布規制システム。
【請求項２】
請求項１に記載の情報配布規制システムであって、
前記第２の通信端末は、
受信した配信データを、スケジュール管理グループ毎に用意されたデータ蓄積用メモリのいずれかに蓄積する手段と、
前記受信した配信データを使用するタイミングで、前記受信した配信データが蓄積されたデータ蓄積用メモリに対応するスケジュール管理グループの空き時間帯を計算する手段と、
前記計算された空き時間帯に、前記データ蓄積用メモリに蓄積された配信データを、データ出力用メモリに記憶する手段と、
前記データ出力用メモリに記憶された配信データを出力する手段と
を更に具備する
情報配布規制システム。
【請求項３】
自機に挿入されているＩＣカードからＩＣカード情報を取得する手段と、
前記ＩＣカード情報を自分の配信データに付加する手段と、
前記ＩＣカード情報を付加した配信データを中継装置へ送信する手段と、
前記中継装置に対して、配信時間帯を設定する手段と、
前記配信時間帯に、前記中継装置から他者の配信データを受信する手段と、
配信データを他の通信端末に送信する際、当該配信データに付加されたＩＣカード情報と、前記ＩＣカード情報とを比較する手段と、
比較の結果、当該配信データに付加されたＩＣカード情報と、前記ＩＣカード情報とが合致していれば、当該配信データを前記他の通信端末へ送信する手段と、
自分の配信データの送信先となる通信端末を、第１グループ及び第２グループのいずれかに設定する手段と、
セキュリティモードを設定する手段と、
前記セキュリティモードが第１モードのとき、前記第１グループ及び前記第２グループの両方を送信先として、自分の配信データを前記中継装置へ送信する手段と、
前記セキュリティモードが第２モードのとき、前記第１グループを送信先として、自分の配信データを前記中継装置へ送信する手段と、
前記セキュリティモードが第３モードのとき、前記第２グループを送信先として、自分の配信データを前記中継装置へ送信する手段と
を具備する
通信端末。
【請求項４】
請求項３に記載の通信端末であって、
受信した配信データを、スケジュール管理グループ毎に用意されたデータ蓄積用メモリのいずれかに蓄積する手段と、
前記受信した配信データを使用するタイミングで、前記受信した配信データが蓄積されたデータ蓄積用メモリに対応するスケジュール管理グループの空き時間帯を計算する手段と、
前記計算された空き時間帯に、前記データ蓄積用メモリに蓄積された配信データを、データ出力用メモリに記憶する手段と、
前記データ出力用メモリに記憶された配信データを出力する手段と
を更に具備する
通信端末。
【請求項５】
第１の通信端末により、前記第１の通信端末に挿入されている第１のＩＣカードから第１のＩＣカード情報を取得することと、
前記第１の通信端末により、前記第１のＩＣカード情報を自分の配信データに付加することと、
前記第１の通信端末により、前記第１のＩＣカード情報を付加した配信データを中継装置へ送信することと、
第２の通信端末により、前記中継装置に対して、配信時間帯を設定することと、
前記中継装置により、前記第１の通信端末から前記第２の通信端末への配信データを受信した際、前記配信時間帯でなければ、前記配信時間帯になるまで、前記第１の通信端末から前記第２の通信端末への配信データを蓄積することと、
前記中継装置により、前記配信時間帯である場合、前記蓄積された配信データを前記第２の通信端末へ送信することと、
前記第２の通信端末により、前記配信時間帯に、前記中継装置から他者の配信データを受信することと、
前記第２の通信端末により、前記第２の通信端末に挿入されている第２のＩＣカードから第２のＩＣカード情報を取得することと、
前記第２の通信端末により、前記第２のＩＣカード情報を自分の配信データに付加することと、
前記第２の通信端末により、配信データを第３の通信端末に送信する際、当該配信データに付加されたＩＣカード情報と、前記第２のＩＣカード情報とを比較することと、
比較の結果、当該配信データに付加されたＩＣカード情報と、前記第２のＩＣカード情報とが合致していれば、当該配信データを前記第３の通信端末へ送信することと、
前記第１の通信端末により、自分の配信データの送信先として、前記第２の通信端末を、第１グループ及び第２グループのいずれかに設定することと、
前記第１の通信端末により、セキュリティモードを設定することと、
前記第１の通信端末により、前記セキュリティモードが第１モードのとき、前記第１グループ及び前記第２グループの両方を送信先として、自分の配信データを前記中継装置へ送信することと、
前記第１の通信端末により、前記セキュリティモードが第２モードのとき、前記第１グループを送信先として、自分の配信データを前記中継装置へ送信することと、
前記第１の通信端末により、前記セキュリティモードが第３モードのとき、前記第２グループを送信先として、自分の配信データを前記中継装置へ送信することと
を含む
情報配布規制方法。
【請求項６】
請求項５に記載の情報配布規制方法であって、
前記第２の通信端末により、受信した配信データを、スケジュール管理グループ毎に用意されたデータ蓄積用メモリのいずれかに蓄積することと、
前記第２の通信端末により、前記受信した配信データを使用するタイミングで、前記受信した配信データが蓄積されたデータ蓄積用メモリに対応するスケジュール管理グループの空き時間帯を計算することと、
前記第２の通信端末により、前記計算された空き時間帯に、前記データ蓄積用メモリに蓄積された配信データを、データ出力用メモリに記憶することと、
前記第２の通信端末により、前記データ出力用メモリに記憶された配信データを出力することと
を更に含む
情報配布規制方法。
【請求項７】
自機に挿入されているＩＣカードからＩＣカード情報を取得するステップと、
前記ＩＣカード情報を自分の配信データに付加するステップと、
前記ＩＣカード情報を付加した配信データを中継装置へ送信するステップと、
前記中継装置に対して、配信時間帯を設定するステップと、
前記配信時間帯に、前記中継装置から他者の配信データを受信するステップと、
配信データを他の通信端末に送信する際、当該配信データに付加されたＩＣカード情報と、前記ＩＣカード情報とを比較するステップと、
比較の結果、当該配信データに付加されたＩＣカード情報と、前記ＩＣカード情報とが合致していれば、当該配信データを前記他の通信端末へ送信するステップと、
自分の配信データの送信先となる通信端末を、第１グループ及び第２グループのいずれかに設定するステップと、
セキュリティモードを設定するステップと、
前記セキュリティモードが第１モードのとき、前記第１グループ及び前記第２グループの両方を送信先として、自分の配信データを前記中継装置へ送信するステップと、
前記セキュリティモードが第２モードのとき、前記第１グループを送信先として、自分の配信データを前記中継装置へ送信するステップと、
前記セキュリティモードが第３モードのとき、前記第２グループを送信先として、自分の配信データを前記中継装置へ送信するステップと
を通信端末に実行させるための
情報配布規制用プログラム。
【発明の詳細な説明】
【技術分野】
【０００１】
本発明は、情報配布規制システムに関し、特にスケジュールデータの二次配布規制及び配信先規制を行う情報配布規制システムに関する。
【背景技術】
【０００２】
スケジュールデータの二次配布規制及び配信先規制に関連する技術として、特開２００９−１７１２６７号公報（特許文献１）に情報配布規制システム、方法、プログラム及び携帯端末が開示されている。
【０００３】
この関連技術では、一方の携帯電話は、更新されたスケジュールにＳＩＭカード（Ｓｕｂｓｃｒｉｂｅｒ  Ｉｄｅｎｔｉｔｙ  Ｍｏｄｕｌｅ  ｃａｒｄ）（以下、ＳＩＭと表記）のＳＩＭ情報を付加し、更新されたスケジュールを送信先リストメモリに保存された送信先リスト中の宛先に電子メール（以下、メールと表記）で自動送信する。他方の携帯電話は、送信されたスケジュールデータをスケジュールデータ更新メモリに保存し、最新情報に更新する。
【０００４】
また、他方の携帯電話は、送信されたスケジュールデータに付加されたＳＩＭ情報と他方の携帯電話のＳＩＭのＳＩＭ情報とを比較する。合致しない場合には、他方の携帯電話から第三者の他の携帯電話に、ＳＩＭのＳＩＭ情報が付加されたスケジュールデータを送信することが不可能となる。
【０００５】
なお、スケジュールデータ管理めもりは、他方の携帯電話で受け取った一方の携帯電話のスケジュールデータ、他方の携帯電話の自己のスケジュールデータを保存する。他の携帯電話で受け取ったスケジュールデータには、一方の携帯電話のＳＩＭのＳＩＭ情報が付加されており、他方の携帯電話の自己のスケジュールデータには、自己のＳＩＭのＳＩＭ情報が付加されている。
【先行技術文献】
【特許文献】
【０００６】
【特許文献１】特開２００９−１７１２６７号公報
【発明の概要】
【発明が解決しようとする課題】
【０００７】
スケジュール配信元（携帯電話１）からスケジュール配信先（携帯電話２）へスケジュールデータ（スケジュール情報）の送信を行うシステムにおいて、スケジュール配信元（携帯電話１）が配信先リストから読み出した配信先へのスケジュールデータの自動送信を行うとした場合、リアルタイム更新が行われる一方で、スケジュール配信元（携帯電話１）が多くなる場合には、下記のような課題が発生する。
【０００８】
１つ目の課題は、複数のスケジュール配信元（携帯電話１）からスケジュールデータの自動送信が行われる結果、不要なタイミングでのスケジュールデータの受信が行われることで、スケジュール配信先（携帯電話２）側の煩わしさが多くなることである。
【０００９】
２つ目の課題は、個々のスケジュール配信元（携帯電話１）からの個別のスケジュールデータの管理ができても、受信した全てのスケジュールデータの総合的な管理が難しいことである。
【課題を解決するための手段】
【００１０】
１つ目の課題の解決手段として、配信元からのメールを一旦メールサーバに蓄積し、スケジュールデータが添付されているメールのみ時間を設定して受信することが考えられる。
【００１１】
また、２つ目の課題の解決手段として、スケジュール管理グループを設定し、グループ毎に管理・表示を行うことで利便性を向上することも考えられる。また、スケジュールデータ使用時（スケジューラ起動／ユーザによる表示更新操作のタイミング）に、スケジュール管理グループ毎の空き時間帯、又は共通の空き時間帯を計算して、空き時間帯に表示用のスケジュールデータを更新することが考えられる。
【００１２】
本発明の情報配布規制システムは、第１の携帯電話（第１の通信端末）と、第２の携帯電話（第２の通信端末）と、第３の携帯電話（第３の通信端末）と、メールサーバ（中継装置）とを含む。第１の携帯電話（第１の通信端末）は、第１の携帯電話（第１の通信端末）に挿入されている第１のＳＩＭ（第１のＩＣカード）から第１のＳＩＭ情報（第１のＩＣカード情報）を取得する手段と、第１のＳＩＭ情報（第１のＩＣカード情報）を自分の配信データに付加する手段と、第１のＳＩＭ情報（第１のＩＣカード情報）を付加した配信データをメールサーバ（中継装置）へ送信する手段とを具備する。第２の携帯電話（第２の通信端末）は、メールサーバ（中継装置）に対して、配信時間帯を設定する手段と、配信時間帯に、メールサーバ（中継装置）から他者の配信データを受信する手段と、第２の携帯電話（第２の通信端末）に挿入されている第２のＳＩＭ（第２のＩＣカード）から第２のＳＩＭ情報（第２のＩＣカード情報）を取得する手段と、第２のＳＩＭ情報（第２のＩＣカード情報）を自分の配信データに付加する手段と、配信データを第３の携帯電話（第３の通信端末）に送信する際、当該配信データに付加されたＳＩＭ情報（ＩＣカード情報）と、第２のＳＩＭ情報（第２のＩＣカード情報）とを比較する手段と、比較の結果、当該配信データに付加されたＳＩＭ情報（ＩＣカード情報）と、第２のＳＩＭ情報（第２のＩＣカード情報）とが合致していれば、当該配信データを第３の携帯電話（第３の通信端末）へ送信する手段とを具備する。メールサーバ（中継装置）は、第１の携帯電話（第１の通信端末）から第２の携帯電話（第２の通信端末）への配信データを受信した際、配信時間帯でなければ、配信時間帯になるまで、第１の携帯電話（第１の通信端末）から第２の携帯電話（第２の通信端末）への配信データを蓄積する手段と、配信時間帯である場合、蓄積された配信データを第２の携帯電話（第２の通信端末）へ送信する手段とを具備する。
【００１３】
本発明の携帯電話（通信端末）は、自機に挿入されているＳＩＭ（ＩＣカード）からＳＩＭ情報（ＩＣカード情報）を取得する手段と、ＳＩＭ情報（ＩＣカード情報）を自分の配信データに付加する手段と、ＳＩＭ情報（ＩＣカード情報）を付加した配信データをメールサーバ（中継装置）へ送信する手段と、メールサーバ（中継装置）に対して、配信時間帯を設定する手段と、配信時間帯に、メールサーバ（中継装置）から他者の配信データを受信する手段と、配信データを他の携帯電話（他の通信端末）に送信する際、当該配信データに付加されたＳＩＭ情報（ＩＣカード情報）と、ＳＩＭ情報（ＩＣカード情報）とを比較する手段と、比較の結果、当該配信データに付加されたＳＩＭ情報（ＩＣカード情報）と、ＳＩＭ情報（ＩＣカード情報）とが合致していれば、当該配信データを他の携帯電話（他の通信端末）へ送信する手段とを具備する。
【００１４】
本発明の情報配布規制方法では、第１の携帯電話（第１の通信端末）により、第１の携帯電話（第１の通信端末）に挿入されている第１のＳＩＭ（第１のＩＣカード）から第１のＳＩＭ情報（第１のＩＣカード情報）を取得する。また、第１の携帯電話（第１の通信端末）により、第１のＳＩＭ情報（第１のＩＣカード情報）を自分の配信データに付加する。また、第１の携帯電話（第１の通信端末）により、第１のＳＩＭ情報（第１のＩＣカード情報）を付加した配信データをメールサーバ（中継装置）へ送信する。また、第２の携帯電話（第２の通信端末）により、メールサーバ（中継装置）に対して、配信時間帯を設定する。また、メールサーバ（中継装置）により、第１の携帯電話（第１の通信端末）から第２の携帯電話（第２の通信端末）への配信データを受信した際、配信時間帯でなければ、配信時間帯になるまで、第１の携帯電話（第１の通信端末）から第２の携帯電話（第２の通信端末）への配信データを蓄積する。また、メールサーバ（中継装置）により、配信時間帯である場合、蓄積された配信データを第２の携帯電話（第２の通信端末）へ送信する。また、第２の携帯電話（第２の通信端末）により、配信時間帯に、メールサーバ（中継装置）から他者の配信データを受信する。また、第２の携帯電話（第２の通信端末）により、第２の携帯電話（第２の通信端末）に挿入されている第２のＳＩＭ（第２のＩＣカード）から第２のＳＩＭ情報（第２のＩＣカード情報）を取得する。また、第２の携帯電話（第２の通信端末）により、第２のＳＩＭ情報（第２のＩＣカード情報）を自分の配信データに付加する。また、第２の携帯電話（第２の通信端末）により、配信データを第３の携帯電話（第３の通信端末）に送信する際、当該配信データに付加されたＩＣカード情報と、第２のＳＩＭ情報（第２のＩＣカード情報）とを比較する。また、比較の結果、当該配信データに付加されたＩＣカード情報と、第２のＳＩＭ情報（第２のＩＣカード情報）とが合致していれば、当該配信データを第３の携帯電話（第３の通信端末）へ送信する。
【００１５】
本発明の情報配布規制用プログラムは、以下の動作を携帯電話（通信端末）に実行させるためのプログラムである。この情報配布規制用プログラムを実行した携帯電話（通信端末）は、自機に挿入されているＳＩＭ（ＩＣカード）からＳＩＭ情報（ＩＣカード情報）を取得する。また、ＳＩＭ情報（ＩＣカード情報）を自分の配信データに付加する。また、ＳＩＭ情報（ＩＣカード情報）を付加した配信データをメールサーバ（中継装置）へ送信する。また、メールサーバ（中継装置）に対して、配信時間帯を設定する。また、配信時間帯に、メールサーバ（中継装置）から他者の配信データを受信する。また、配信データを他の携帯電話（他の通信端末）に送信する際、当該配信データに付加されたＳＩＭ情報（ＩＣカード情報）と、ＳＩＭ情報（ＩＣカード情報）とを比較する。また、比較の結果、当該配信データに付加されたＳＩＭ情報（ＩＣカード情報）と、ＳＩＭ情報（ＩＣカード情報）とが合致していれば、当該配信データを他の携帯電話（他の通信端末）へ送信する。なお、本発明の情報配布規制用プログラムは、記憶装置や記憶媒体に格納することが可能である。
【発明の効果】
【００１６】
総合的なスケジュールデータの管理に関する利便性が向上する。
【図面の簡単な説明】
【００１７】
【図１】本発明の概要を説明するための図である。
【図２】本発明の携帯電話（通信端末）の構成を示すブロック図である。
【図３】本発明の実施例における各携帯端末の動作概要を説明するための図である。
【図４Ａ】本発明の実施例における各携帯端末の動作を示すフローチャートである。
【図４Ｂ】本発明の実施例における各携帯端末の動作を示すフローチャートである。
【図４Ｃ】本発明の実施例における各携帯端末の動作を示すフローチャートである。
【発明を実施するための形態】
【００１８】
＜実施形態＞
以下に、本発明の実施形態について添付図面を参照して説明する。
本発明では、図１に示すように、スケジュール交換の合意を行った携帯電話に対してスケジュール情報の一次配布を行い、当該携帯電話に対して二次配布規制及び配信先規制を行い、機密性の高いスケジューラを実現する。
【００１９】
なお、ここでは携帯電話を例に説明するが、実際には携帯電話に限定する必要はなく、通信端末であれば良い。携帯電話以外の通信端末の例として、ＰＣ（パソコン）、モバイルノートＰＣ、シンクライアント端末、ワークステーション、カーナビ（カーナビゲーションシステム）、携帯ゲーム機、家庭用ゲーム機、ガジェット（電子機器）、デジタルチューナー、デジタルレコーダー、情報家電（ｉｎｆｏｒｍａｔｉｏｎ  ｈｏｍｅ  ａｐｐｌｉａｎｃｅ）、ＯＡ（Ｏｆｆｉｃｅ  Ａｕｔｏｍａｔｉｏｎ）機器等が考えられる。これらの通信端末は、車両や船舶、航空機等の移動体に搭載されていても良い。但し、実際には、これらの例に限定されない。
【００２０】
［基本構成］
図２に示すように、本発明の携帯電話は、処理部１０と、記憶部２０と、操作部３０と、表示部４０と、ＳＩＭ５０と、通信部６０を備える。
【００２１】
処理部１０は、携帯電話の全体制御を行い、特に、スケジュールの配布制御を行う。処理部１０の例として、ＣＰＵ（Ｃｅｎｔｒａｌ  Ｐｒｏｃｅｓｓｉｎｇ  Ｕｎｉｔ）、マイクロプロセッサ（ｍｉｃｒｏｐｒｏｃｅｓｓｏｒ）、マイクロコントローラ、或いは、同様の機能を有する半導体集積回路（Ｉｎｔｅｇｒａｔｅｄ  Ｃｉｒｃｕｉｔ（ＩＣ））等が考えられる。但し、実際には、これらの例に限定されない。
【００２２】
記憶部２０は、携帯電話を制御するプログラム及び各種データを格納する。記憶部２０の例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置、又は、ＤＶＤ（Ｄｉｇｉｔａｌ  Ｖｅｒｓａｔｉｌｅ  Ｄｉｓｋ）やＳＤメモリカード（Ｓｅｃｕｒｅ  Ｄｉｇｉｔａｌ  ｍｅｍｏｒｙ  ｃａｒｄ）等のリムーバブルディスクや記憶媒体（メディア）等が考えられる。但し、実際には、これらの例に限定されない。
【００２３】
更に、記憶部２０は、送信先リスト２１と、スケジュールデータ管理メモリ２２を保持する。
【００２４】
送信先リスト２１は、携帯電話内の情報であり、スケジュールデータの送信先のグループのリストを格納するための記憶領域である。ここでは、送信先リスト２１は、一方の携帯電話から他方の携帯電話にスケジュール送信を行う場合、一方の携帯電話ではスケジュール送信を受け入れた他の携帯電話に挿入されたＳＩＭのＳＩＭ情報を保存する。
【００２５】
スケジュールデータ管理メモリ２２は、スケジュールデータを蓄積するための記憶領域である。ここでは、スケジュールデータ管理メモリ２２は、他方の携帯電話で受け取った一方の携帯電話のスケジュールデータ、他方の携帯電話の自己のスケジュールデータを保存する。他の携帯電話で受け取ったスケジュールデータには、一方の携帯電話のＳＩＭのＳＩＭ情報が付加されている。また、他方の携帯電話の自己のスケジュールデータには自己のＳＩＭのＳＩＭ情報が付加されている。
【００２６】
操作部３０は、携帯電話の操作をするためのデバイス或いは操作まわりを司るモジュールである。操作部３０の例として、キーパッド、キーボード、画面上のキーパッド、タッチパネル（ｔｏｕｃｈ  ｐａｎｅｌ）、タブレット（ｔａｂｌｅｔ）、又は、操作命令が記述されたＱＲコード（登録商標）やＩＣチップ、記憶媒体を読み取る装置等が考えられる。或いは、操作部３０は、外部の入力装置や記憶装置から情報を取得するためのインターフェース（Ｉ／Ｆ：ｉｎｔｅｒｆａｃｅ）でも良い。但し、実際には、これらの例に限定されない。
【００２７】
表示部４０は、操作やデータの処理・加工の結果を、画面に映像として表示する。表示部４０の例として、ＬＣＤ（液晶ディスプレイ）やＰＤＰ（プラズマディスプレイ）、有機ＥＬディスプレイ（ｏｒｇａｎｉｃ  ｅｌｅｃｔｒｏｌｕｍｉｎｅｓｃｅｎｃｅ  ｄｉｓｐｌａｙ）等の画面表示装置を想定している。他にも、画面表示装置に限らず、出力内容を壁やスクリーンに投影するプロジェクタ等の映写装置、出力内容を用紙等に印刷するプリンタ等の印刷装置等が考えられる。或いは、表示部４０は、外部の表示装置や記憶装置に情報を出力するためのインターフェース（Ｉ／Ｆ）でも良い。すなわち、表示部４０は、何らかの出力装置であれば良い。但し、実際には、これらの例に限定されない。
【００２８】
ＳＩＭ５０は、契約者情報を記録したＩＣカードであり、携帯電話に差し込まれ、利用者の識別に使用される。例えば、一般的なＳＩＭには、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と呼ばれる固有の番号が付与されており、これと電話番号を結びつけることにより通信を可能とする。ＳＩＭ５０は、ＳＩＭ情報５１を保持する。ＳＩＭ情報５１は、ＳＩＭ５０を特定する情報である。ここでは、携帯電話の例について説明しているため、ＳＩＭを利用しているが、本発明を他の通信端末で実施する場合、ＳＩＭの代わりに、ＳＩＭに類するものを使用しても良い。ＳＩＭに類するものの例として、拡張カード（ｅｘｔｅｎｓｉｏｎ  ｃａｒｄ）や、Ｂ−ＣＡＳ（登録商標）カードのようなものが考えられる。
【００２９】
通信部６０は、基地局を介して他の携帯電話と通信を行う。ここでは、通信部６０の例として、電波を受発信するアンテナ及び無線高周波回路を想定している。他にも、通信部６０の例として、ＮＩＣ（Ｎｅｔｗｏｒｋ  Ｉｎｔｅｒｆａｃｅ  Ｃａｒｄ）等のネットワークアダプタや、接続口（コネクタ）等の通信ポート等が考えられる。また、通信部６０が利用する通信回線／ネットワークの例として、携帯電話網以外にも、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）、バックボーン（Ｂａｃｋｂｏｎｅ）、ケーブルテレビ（ＣＡＴＶ）回線、固定電話網、ＷｉＭＡＸ（ＩＥＥＥ  ８０２．１６ａ）、３Ｇ（３ｒｄ  Ｇｅｎｅｒａｔｉｏｎ）、専用線（ｌｅａｓｅ  ｌｉｎｅ）、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、シリアル通信回線、データバス等が考えられる。但し、実際には、これらの例に限定されない。
【００３０】
＜実施例＞
次に、本発明の実施例の構成について図面を参照して詳細に説明する。
なお、以下の説明において、携帯電話１、携帯電話２、及び携帯電話３は、それぞれ図２に示す携帯電話に相当する。ＳＩＭ１及びＳＩＭ２は、それぞれ図２に示すＳＩＭ５０に相当する。ＳＩＭ情報１及びＳＩＭ情報２は、それぞれ図２に示すＳＩＭ情報５１に相当する。また、送信先リストは、図２の送信先リスト２１に相当する。スケジュールデータ管理メモリ（画面表示用）、及びスケジュールデータ管理メモリ（データ蓄積用）は、それぞれ図２に示すスケジュールデータ管理メモリ２２に相当する。
【００３１】
［本実施例の構成］
図３を参照すると、本実施例におけるネットワークは、携帯電話１と、携帯電話２と、携帯電話３と、メールサーバ４を含む。
【００３２】
携帯電話１は、携帯電話２によりスケジュールを管理される。携帯電話１は、スケジュールが更新されると、更新されたスケジュールに関するスケジュールデータをメールで送信する。このとき、携帯電話１は、ＳＩＭ１からＳＩＭ情報１を読み出して当該スケジュールデータに付加し、ＳＩＭ情報１が付加されたスケジュールデータをメールで送信する。ここでは、メールの送信先（宛先）は、携帯電話２である。このメールは、メールサーバ４を経由して携帯電話２に到達する。そのため、携帯電話１は、このメールを、一旦、メールサーバ４へ送信する。なお、メールは、一例に過ぎない。実際には、メール以外のデータ形式でスケジュールデータを送信するようにしても良い。
【００３３】
ＳＩＭ１は、携帯電話１に挿入されている。ＳＩＭ１は、携帯電話１の使用者を特定するための携帯番号情報を保持する。
【００３４】
ＳＩＭ情報１は、ＳＩＭ１を特定する情報である。ＳＩＭ情報１は、スケジュールデータを送信するときに付加される。
【００３５】
送信先リストは、携帯電話１で以後のスケジュール送信を受け入れた相手のＳＩＭ情報が追加される携帯電話１の本体内メモリである。ここでは、送信先リストは、スケジュールデータの送信先のグループを格納している。
【００３６】
送信先リスト内のグループには、プライベートグループ及びパブリックグループ等がある。
【００３７】
携帯電話１に対して、セキュリティモードの設定（シークレット設定）が行われる。セキュリティモードとは、携帯電話１全体として設定されるセキュリティ種別のことである。携帯電話１に設定されるセキュリティモードの種類には、シークレットモード／シークレット専用モード／通常モードの３種類のモードがある。
【００３８】
シークレットモードは、携帯電話１に含まれる全ての情報を閲覧できるモードである。シークレットモードの場合、携帯電話１は、プライベートグループ及びパブリックグループの両方に送信する。
【００３９】
シークレット専用モードは、携帯電話１に含まれる機密性の低い情報のみ閲覧できるモードである。シークレット専用モードの場合、携帯電話１は、パブリックグループのみに送信する。
【００４０】
通常モードは、携帯電話１に含まれる機密性の高い情報のみ閲覧できるモードである。通常モードの場合、携帯電話１は、プライベートグループのみに送信する。
【００４１】
携帯電話１は、セキュリティモードの設定（シークレット設定）に従い、スケジュールデータをメール形式で、メールサーバ４に自動送信する。なお、メール形式は一例に過ぎない。
【００４２】
メールサーバ４は、携帯電話１からのメールを蓄積し、携帯電話２へスケジュール送信を行うサーバである。特に、ここでは、メールサーバ４は、スケジュールが添付されたメールを配信する時間帯以外のときに蓄積し、配信時間帯に送信する。なお、実際には、メールサーバ４は、携帯電話１と携帯電話２の間で、データを中継する装置であれば良い。例えば、メールサーバ４は、基地局、中継機器、ＦＴＰ（Ｆｉｌｅ  Ｔｒａｎｓｆｅｒ  Ｐｒｏｔｏｃｏｌ）サーバ、ファイルサーバ等でも良い。
【００４３】
携帯電話２は、複数の携帯電話からのスケジュールデータを、メールサーバ４経由で受信する。また、携帯電話２は、ＳＩＭ２からＳＩＭ情報２を読み出して、自分のスケジュールデータに付加する。携帯電話２は、それぞれの携帯電話のスケジュールを管理する。
【００４４】
ＳＩＭ２は、携帯電話２に挿入されている。ＳＩＭ２は、携帯電話２の使用者を特定するための携帯番号情報を保持する。
【００４５】
ＳＩＭ情報２は、ＳＩＭ２を特定する情報である。ここでは、ＳＩＭ情報２は、携帯電話２から携帯電話１への「携帯電話１のスケジュールが更新されるたびに携帯電話１のスケジュールを受け取ることを所望する」という旨の通知に付加される。
【００４６】
携帯電話２は、スケジュールデータ管理メモリ（画面表示用）、スケジュールデータ管理メモリ（データ蓄積用）を保持する。
【００４７】
スケジュールデータ管理メモリ（データ蓄積用）は、携帯電話２が受け取ったスケジュールデータ（複数）と自分のスケジュールデータを保存する。携帯電話２は、スケジュールデータを受け取った都度、自動的にスケジュールデータを蓄積する。なお、スケジュールデータ管理メモリ（データ蓄積用）は、スケジュールデータをスケジュール管理グループ毎に分けることで仮想的に複数保持することができる。ここでは、スケジュールデータ管理メモリ（データ蓄積用）は、スケジュールデータを「グループＡ」、「グループＢ」の２グループに分けて管理する。
【００４８】
スケジュール管理グループは、携帯電話２がスケジュールを管理する単位である。スケジュール管理グループは、携帯電話１内で管理されるスケジュールを管理する単位である複数所持することができる。また、スケジュール管理グループは、ＳＩＭ情報１登録の都度設定が可能であり、一度設定すれば任意のタイミングで別グループへの再設定も可能である。
【００４９】
スケジュールデータ管理メモリ（画面表示用）は、スケジュールデータ管理メモリ（データ蓄積用）に蓄積されたスケジュールデータを画面表示可能な形式で保存する。スケジュールデータ管理メモリ（画面表示用）は、スケジュールデータ管理メモリ（データ蓄積用）と同期を取って更新される。但し、スケジュールデータ管理メモリ（画面表示用）は、スケジューラが起動されたタイミングと、ユーザによる画面更新操作のタイミングでのみ更新される。
【００５０】
携帯電話３は、スケジュールの管理に関係しない。すなわち、携帯電話３は、スケジュールを管理したりされたりしない。ここでは、携帯電話３は、携帯電話２から二次配布を試みられる。
【００５１】
［本実施例における動作］
次に、図３、及び図４Ａ、図４Ｂ、図４Ｃのフローチャートを参照して、本発明の実施例の動作について詳細に説明する。
【００５２】
（１）ステップＳ１０１
まず、前提条件として、携帯電話２は、予めＳＩＭ情報１をスケジューラに登録し、ＳＩＭ情報１毎にスケジュール管理グループを設定する。なお、携帯電話２は、ＳＩＭ情報１をスケジューラに登録する際、携帯電話１からＳＩＭ情報１を受信するようにしても良い。
【００５３】
（２）ステップＳ１０２
携帯電話１は、セキュリティモードの設定（シークレット設定）を行う。
【００５４】
（３）ステップＳ１０３
携帯電話２は、スケジュールが添付されたメールの配信を所望する時間帯（配信時間帯）をメールサーバ４へ設定する。
【００５５】
（４）ステップＳ１０４
携帯電話２は、ＳＩＭ情報１が登録されると、自動的に、携帯電話１に対して、携帯電話１にてスケジュール更新があった際に更新されたスケジュールをメールにて受け取りたい旨の依頼を行う。このとき、携帯電話２は、携帯電話１に対して、ＳＩＭ情報２を送信する。
【００５６】
（５）ステップＳ１０５
携帯電話１は、携帯電話２からの依頼に対して、事前に「全ての依頼を拒否する」かどうかの設定を行うことができる。携帯電話１は、この設定を行っている場合、設定解除するまでは、新規の依頼を全て拒否し、スケジュール更新待ち状態となる。
【００５７】
（６）ステップＳ１０６
携帯電話１は、上記の設定を行っていない場合、携帯電話２からの依頼に対し、拒否するか受け入れるかの選択を行う。携帯電話１は、拒否する場合、スケジュール更新待ち状態となる。
【００５８】
（７）ステップＳ１０７
携帯電話１は、受け入れる場合、自身の送信先リストへＳＩＭ情報２を追加する。なお、携帯電話１は、拒否する場合、自身の送信先リストへＳＩＭ情報２を追加しない。
【００５９】
（８）ステップＳ１０８
また、携帯電話１は、受け入れる場合、送信先リスト内の送信先毎にプライベート／パブリックグループのどちらかを設定する。
【００６０】
（９）ステップＳ１０９
携帯電話１は、スケジュール更新待ち状態となる。すなわち、携帯電話１は、スケジュール更新があるまで待機する。
【００６１】
（１０）ステップＳ１１０
携帯電話１は、現在のセキュリティモードを確認する。ここでは、携帯電話１は、セキュリティモードがシークレットモード／通常モード／シークレット専用モードのいずれであるか確認する。
【００６２】
（１１）ステップＳ１１１
携帯電話１は、セキュリティモードがシークレットモードのとき、最新データ（最新のスケジュールが添付されたメール）をパブリック／プライベートグループ共に自動送信する。
【００６３】
（１２）ステップＳ１１２
携帯電話１は、セキュリティモードが通常モードのとき、最新データをプライベートグループにのみ自動送信する。
【００６４】
（１３）ステップＳ１１３
携帯電話１は、セキュリティモードが通常モードのとき、最新データをパブリックグループにのみ自動送信する。
【００６５】
（１４）ステップＳ１１４
携帯電話１から自動送信された最新データは、一旦、中継機器であるメールサーバ４に集められる。メールサーバ４は、携帯電話１から最新データを受信すると、現在、先に（ステップＡ１０３で）設定した配信時間帯内か確認する。
【００６６】
（１５）ステップＳ１１５
メールサーバ４は、先に設定した配信時間帯外の場合、配信時間帯になるまで蓄積する。
【００６７】
（１６）ステップＳ１１６
メールサーバ４は、配信時間帯待ち状態となる。すなわち、メールサーバ４は、配信時間帯になるまで待機する。
【００６８】
（１７）ステップＳ１１７
メールサーバ４は、先に設定した配信時間帯内の場合、最新データ（最新のスケジュールが添付されたメール）を携帯電話２に送信する。携帯電話２は、最新データが届くと、送信者のスケジュール管理グループ毎にスケジュールデータ管理メモリ（データ蓄積用）を最新の情報に自動更新する。
【００６９】
（１８）ステップＳ１１８
携帯電話２は、スケジューラ起動／ユーザによる画面更新操作待ちとなる。すなわち、携帯電話２は、スケジューラ起動、もしくは、ユーザによる画面更新操作が行われるまで待機する。
【００７０】
（１９）ステップＳ１１９
携帯電話２は、スケジューラが起動されたタイミング、もしくは、ユーザによる画面更新操作が行われたタイミングで、スケジュール管理グループ毎に空き時間帯を計算する。すなわち、携帯電話２は、スケジュールデータ管理メモリ（データ蓄積用）に蓄積されたスケジュールデータを使用するタイミングで、スケジュール管理グループ毎に空き時間帯を計算する。このとき、携帯電話２は、全ての／いくつかのスケジュール管理グループに共通の空き時間帯を計算しても良い。
【００７１】
（２０）ステップＳ１２０
携帯電話２は、計算された空き時間帯に、スケジュールデータ管理メモリ（画面表示用）を自動更新する。すなわち、携帯電話２は、計算された空き時間帯に、そのスケジュール管理グループ用のスケジュールデータ管理メモリ（データ蓄積用）に蓄積されたスケジュールデータを、スケジュールデータ管理メモリ（画面表示用）に記憶する。このとき、携帯電話２は、スケジュールデータ管理メモリ（画面表示用）に記憶されたスケジュールを画面表示して、ユーザに閲覧させることができる。
【００７２】
（２１）ステップＳ１２１
携帯電話２も、スケジュール送信が可能であるため、ユーザからの送信操作待ちとなる。
【００７３】
（２２）ステップＳ１２２
携帯電話２は、スケジュールデータを携帯電話３に送信しようとする場合、スケジュールデータに付加されたＳＩＭ情報と、携帯電話２に挿入（搭載）されているＳＩＭ２のＳＩＭ情報２とを比較（照合）する。なお、携帯電話１から受信したスケジュールデータには、ＳＩＭ情報１が付加されている。また、携帯電話２が持つ自分のスケジュールデータには、ＳＩＭ情報２が付加されている。
【００７４】
（２３）ステップＳ１２３
携帯電話２は、比較した情報が合致したか否かの確認を行う。すなわち、携帯電話２は、スケジュールデータに付加されたＳＩＭ情報と、携帯電話２に挿入（搭載）されているＳＩＭ２のＳＩＭ情報２とが合致したか否かの確認を行う。
【００７５】
（２４）ステップＳ１２４
携帯電話２は、比較した情報が合致しない場合、ＳＩＭ２の挿入（搭載）された携帯電話２から携帯電話３へ送信を試みても送信が不可能となり、ユーザからの送信操作待ちの状態へ戻る。例えば、携帯電話１から受信したスケジュールデータには、ＳＩＭ情報１が付加されているため、ＳＩＭ情報１とＳＩＭ情報２とを比較しても、情報が合致しない。
【００７６】
（２５）ステップＳ１２５
携帯電話２は、比較した情報が合致する場合、ＳＩＭ２の挿入（搭載）された携帯電話２から携帯電話３へ、スケジュールデータの送信が可能となる。なお、比較した情報が合致する場合とは、スケジュールデータに付加されたＳＩＭ情報と、携帯電話２に挿入（搭載）されているＳＩＭ２のＳＩＭ情報２とが合致する場合である。すなわち、携帯電話２が、自分のスケジュールデータを送信しようとしている場合である。この場合、携帯電話２は、携帯電話３へ、ＳＩＭ情報２の付加されたスケジュールデータを送信する。
【００７７】
なお、上記において、携帯電話１が携帯電話２に対して、自分のスケジュールデータの二次配布を許可する場合、携帯電話１が、携帯電話２から受信したＳＩＭ情報２を、自分のスケジュールデータに付加して携帯電話２に送信すれば良い。
【００７８】
＜まとめ＞
従来の技術では、スケジュール更新の都度メール送信しリアルタイム更新が行われる一方で、スケジュール配信元（携帯電話１）が多くなることで、不要なタイミングでのメール受信件数が増え、総合的な管理が難しくなるという問題が発生する。
【００７９】
本発明では、これらの問題を解決するために、スケジュールが添付されているメールのみ配信時間を限定する仕組みや、設定したグループ毎の空き時間帯を確認する仕組みを提供することで、スケジュール管理の利便性を向上する。
【００８０】
なお、通信機器使用者固有の情報を付加する技術は、既に実現されており、ダウンロードした画像等の取得者情報としてＳＩＭ情報を付加し、取得者以外が所有する通信機器へ二次配布されたとしても閲覧できないという方法は、広く利用されている。
【００８１】
しかし、本発明では、他者に受け渡す際でも自分のＳＩＭ情報を付加することで二次配布を防ぐことができる。
【００８２】
また、本発明では、送信先ユーザとの合意が可能であるため、これにより、ユーザ対ユーザでの受け渡しにおいても機密性の高いスケジューラを実現している。
【００８３】
また、携帯端末の機密性を上げる為に端末全体としてのセキュリティモードを設定する技術は広く使用されているが、本発明では、これをスケジュールデータが自動送信される相手にも適用することで、不特定の第三者が使用した場合にも機密性を保つことを実現している。
【００８４】
更に、本発明では、受信したスケジュールデータが、自端末内で自動更新されることで多くのユーザの管理においてユーザストレスを軽減でき、これを実現するためにデータ蓄積用のメモリと画面表示用のメモリを用意し、ユーザの分かりやすいタイミングで同期を取ることで、自動更新の実現性を高めている。
【００８５】
また、本発明では、情報の受信タイミングについてスケジュールデータのみ切り離し、スケジュール管理グループの設定と共通の空き時間帯を確認できるようにすることで、スケジュール管理をする規模が大きくなった場合のユーザ負荷軽減を実現している。
【００８６】
以上のように、本発明では、スケジュールデータの二次配布の許否を確認する携帯電話に対し、二次配布不可のスケジュールデータを受け渡すことで、機密性の高いスケジュール管理をすることができる。
【００８７】
（付記１）
前記第１の通信端末は、前記第２の通信端末から前記第２のＩＣカード情報を受信する手段と、前記第２のＩＣカード情報を自分の配信データに付加する手段と、前記第２のＩＣカード情報を付加した配信データを前記中継装置へ送信する手段とを具備する。前記第２の通信端末は、前記第２のＩＣカード情報を前記第１の通信端末へ送信する手段と、前記中継装置から受信した配信データを第３の通信端末に送信する際、前記受信した配信データに付加されたＩＣカード情報と、前記第２のＩＣカード情報とを比較する手段と、比較の結果、前記受信した配信データに付加されたＩＣカード情報と、前記第２のＩＣカード情報とが合致していれば、前記受信した配信データを前記第３の通信端末へ送信する手段とを具備する情報配布規制システム。
【００８８】
以上、本発明の実施形態を詳述してきたが、実際には、上記の実施形態に限られるものではなく、本発明の要旨を逸脱しない範囲の変更があっても本発明に含まれる。
【符号の説明】
【００８９】
１、２、３…  携帯電話（通信端末）
４…  メールサーバ
１０…  処理部
２０…  記憶部
２１…  送信先リスト
２２…  スケジュールデータ管理メモリ
３０…  操作部
４０…  表示部
５０…  ＳＩＭ（ＳＩＭカード）
５１…  ＳＩＭ情報
６０…  通信部
【図１】
0005573189.tif 000002
【図２】
0005573189.tif 000003
【図３】
0005573189.tif 000004
【図４Ａ】
0005573189.tif 000005
【図４Ｂ】
0005573189.tif 000006
【図４Ｃ】
0005573189.tif 000007